(57)【要約】【課題】ユーザが、インターネットを介してスキル提供者からスキル提供を受ける場合に、適切なスキル提供を受けることが可能な情報処理装置、情報処理方法、及び情報処理プログラムを提供する。【解決手段】サーバ装置１０は、物品に係る作業を行うスキルを提供するスキル提供者が操作する提供者端末から、スキルを紹介するスキル提供情報、及びスキルを提供する場所に関する提供場所情報を取得して登録する登録部１３１と、所定のスキルに対応するスキル提供情報及び提供場所情報を取得するスキル取得部１３３と、所定のスキルに対応するスキル提供情報及び提供場所情報に基づいて、スキルの紹介及びスキルを提供する場所を案内するコンテンツをユーザが操作するユーザ端末に送信するコンテンツ送信部１３４と、を備える。【選択図】図２
2020091685.tif 000002
【特許請求の範囲】
【請求項１】
物品に係る作業を行うスキルを提供するスキル提供者が操作する提供者端末から、前記スキルを紹介するスキル提供情報、及び前記スキルを提供する場所に関する提供場所情報を取得して登録するスキル登録部と、
所定のスキルに対応する前記スキル提供情報及び前記提供場所情報を取得するスキル取得部と、
前記所定のスキルに対応する前記スキル提供情報及び前記提供場所情報に基づいて、前記スキルの紹介及び前記スキルを提供する場所を案内するコンテンツをユーザが操作するユーザ端末に送信するコンテンツ送信部と、
を備えることを特徴とする情報処理装置。
【請求項２】
請求項１に記載の情報処理装置において、
前記スキル取得部は、前記ユーザ端末から前記所定のスキルの紹介を要求するスキル紹介要求を受信した際に、前記所定のスキルを条件として前記スキル提供情報及び前記提供場所情報を取得する
ことを特徴とする情報処理装置。
【請求項３】
請求項１または請求項２に記載の情報処理装置において、
前記スキル登録部は、前記提供者端末から前記スキルの提供時に必要となる作業時必要品をさらに取得して登録し、
前記コンテンツ送信部は、前記作業時必要品を含む前記コンテンツを前記ユーザ端末に送信する
ことを特徴とする情報処理装置。
【請求項４】
請求項３に記載の情報処理装置において、
物品情報を取得する物品取得部をさらに備え、
前記物品取得部は、前記作業時必要品に対応した前記物品情報を取得し、
前記コンテンツ送信部は、前記作業時必要品に対応した前記物品情報に基づいて、前記作業時必要品を紹介する物品紹介コンテンツを前記ユーザ端末に送信する
ことを特徴とする情報処理装置。
【請求項５】
請求項４に記載の情報処理装置において、
前記物品取得部は、前記スキルの作業対象である物品に対応した物品情報をさらに取得し、
前記コンテンツ送信部は、前記物品情報に基づいた、前記物品を紹介する物品紹介コンテンツを前記ユーザ端末に送信する
ことを特徴とする情報処理装置。
【請求項６】
コンピュータにより情報を処理する情報処理方法であって、
前記コンピュータは、スキル登録部、スキル取得部、及びコンテンツ送信部を備え、
前記スキル登録部が、物品に係る作業を行うスキルを提供するスキル提供者が操作する提供者端末から、前記スキルを紹介するスキル提供情報、及び前記スキルを提供する場所に関する提供場所情報を取得して登録するステップと、
前記スキル取得部が、所定のスキルに対応する前記スキル提供情報及び前記提供場所情報を取得するステップと、
前記コンテンツ送信部が、前記所定のスキルに対応する前記スキル提供情報及び前記提供場所情報に基づいて、前記スキルの紹介及び前記スキルを提供する場所を案内するコンテンツをユーザが操作するユーザ端末に送信するステップと、を実施する
ことを特徴とする情報処理方法。
【請求項７】
コンピュータにより読み取り実行可能な情報処理プログラムであって、
コンピュータを請求項１から請求項５のいずれか１項に記載の情報処理装置として機能させる
ことを特徴とする情報処理プログラム。
【発明の詳細な説明】
【技術分野】
【０００１】
本発明は、インターネットを介してスキル提供者が提供するスキルを販売する電子商取引を実施する情報処理装置、情報処理方法、及び情報処理プログラムに関する。
【背景技術】
【０００２】
従来、インターネットを介して電子商取引を行う電子商取引システムが知られている（例えば、非特許文献１参照）。
非特許文献１に記載の電子商取引システムは、スキルを提供するスキル提供者、及び提供可能なスキルを、インターネットを介してユーザに案内及び販売するシステムである。
【先行技術文献】
【非特許文献】
【０００３】
【非特許文献１】株式会社ココナラ「ココナラ−みんなの得意を売り買い、スキルのフリーマーケット」、［online］、［平成３０年８月２４日検索］、インターネット<URL:https://coconala.com/>
【発明の概要】
【発明が解決しようとする課題】
【０００４】
ところで、スキル提供者が物品に対する作業を行うスキルを提供する場合、ユーザが作業対象の物品をスキル提供者に手渡して作業を行う必要がある。作業対象が、例えば自動車などの大型の物品である場合、郵送が困難であるので、通常、ユーザが作業者の指定した作業場所に作業対象を持ち込むか、作業対象者が作業場所に出張する必要が生じる。
上記特許文献１に記載のシステムでは、スキルの内容を紹介するのみであり、スキルの紹介文に記載がない限り、ユーザがスキル提供の作業場所を知ることができない。したがって、ユーザは、メッセージ交換等により、スキル提供を行う作業場所の確認を事前に行う必要があり、煩雑な作業が伴うとの課題があった。また、このようなメッセージのやり取りを行わずにスキルの販売が成立すると、スキル提供時にユーザまたはスキル提供者が遠方に出向く必要があったり、売買のキャンセルを行う必要が生じたりするとの課題もある。
【０００５】
本発明は、ユーザが、インターネットを介してスキル提供者からスキル提供を受ける場合に、容易に、かつ、適切にスキル提供を受けることが可能な情報処理装置、情報処理方法、及び情報処理プログラムを提供することを目的とする。
【課題を解決するための手段】
【０００６】
本発明の情報処理装置は、物品に係る作業を行うスキルを提供するスキル提供者が操作する提供者端末から、前記スキルを紹介するスキル提供情報、及び前記スキルを提供する場所に関する提供場所情報を取得して登録するスキル登録部と、所定のスキルに対応する前記スキル提供情報及び前記提供場所情報を取得するスキル取得部と、前記所定のスキルに対応する前記スキル提供情報及び前記提供場所情報に基づいて、前記スキルの紹介及び前記スキルを提供する場所を案内するコンテンツをユーザが操作するユーザ端末に送信するコンテンツ送信部と、を備える。
【発明の効果】
【０００７】
本発明では、情報処理装置は、スキル提供者によって登録されたスキル提供情報及び提供場所情報に基づいて、所定のスキルの内容とともに、スキル提供を行う場所を案内するコンテンツをユーザ端末に送信する。このため、ユーザは、メッセージ交換等を用いた提供場所の確認等が不要となり、また、提供場所が遠い等の理由によるキャンセルも減るので、ユーザは、容易に、かつ適切にスキル提供を受けることができる。
【図面の簡単な説明】
【０００８】
【図１】本実施形態に係る商取引システムのシステム構成を示す図。
【図２】本実施形態のサーバ装置の概略構成を示すブロック図。
【図３】本実施形態の物品ＤＢに記録される物品情報に含まれる各情報の一例を示す図。
【図４】本実施形態のスキルＤＢに記録されるスキル提供情報に含まれる各情報の一例を示す図。
【図５】本実施形態の情報処理方法におけるトップページの表示処理を示すフローチャート。
【図６】本実施形態におけるトップページの一例を示す図。
【図７】本実施形態の情報処理方法におけるスキル一覧処理を示すフローチャート。
【図８】本実施形態のスキル一覧コンテンツの一例を示す図。
【図９】本実施形態の情報処理方法におけるスキル紹介処理を示すフローチャート。
【図１０】本実施形態のスキル紹介コンテンツの一例を示す図。
【図１１】本実施形態の情報処理方法における物品紹介処理を示すフローチャート。
【図１２】本実施形態の物品紹介コンテンツの一例を示す図。
【図１３】変形例１に係る商取引システムのシステム構成を示す図。
【発明を実施するための形態】
【０００９】
以下、本発明に係る一実施形態について説明する。
図１は、第一実施形態に係る商取引システム１のシステム構成を示す図である。
本実施形態の商取引システム１は、図１に示すように、情報処理装置であるサーバ装置１０と、サーバ装置１０にインターネットを介して通信可能に接続されるユーザ端末２０、提供者端末３０、及び販売者端末４０と、により構築されている。
ここで、本実施形態において、ユーザ端末２０は、物品やスキルを購入するユーザが操作するコンピュータであり、提供者端末３０は、ユーザにスキルを提供するスキル提供者が操作するコンピュータであり、販売者端末４０は、物品を販売する販売者（販売店）が操作するコンピュータである。
本実施形態の商取引システム１は、インターネットを介して、物品に係る作業を行うスキルをユーザに案内し、販売するシステムである。本実施形態では、物品として、自動車のパーツを例示する。このようなパーツとしては、例えば、自動車に対して装着するカーナビゲーション装置等の装着品、タイヤやエンジンオイル等の消耗品、自動車用塗料やマスキングテープや洗車用品等の自動車補修用品等が挙げられる。また、物品に係る作業を行うスキルとしては、自動車に対して装着品を装着するスキル、装着品をカスタマイズするスキル、自動車の消耗品を交換するスキル、鈑金作業や塗装作業や洗車作業等の自動車補修用品を用いた補修スキル等が例示できる。なお、物品としては、上記のようなパーツに限られず、自動車そのものであってもよい。つまり、スキル提供者が、自動車そのものの整備や点検を行う場合は、本発明の物品は自動車となる。
以下、このような商取引システム１の各構成について詳細に説明する。
【００１０】
［サーバ装置１０の構成］
図２は、本実施形態のサーバ装置１０の概略構成を示すブロック図である。
本実施形態のサーバ装置１０は、一般的なコンピュータにより構成され、通信部１１と、記憶部１２と、制御部１３と、等を含んで構成されている。
通信部１１は、ネットワークに接続されており、ネットワークを介してユーザ端末２０や、ネットワーク上のその他の装置と通信する。
【００１１】
記憶部１２は、例えばメモリ、ハードディスク等により構成された情報記録装置であり、各種情報や各種プログラムが記憶されている。
この記憶部１２は、物品データベース（物品ＤＢ１２Ａ）と、スキルデータベース（スキルＤＢ１２Ｂ）と、提供者データベース（提供者ＤＢ１２Ｃ）と、ユーザデータベース（ユーザＤＢ１２Ｄ）と、購入データベース（購入ＤＢ１２Ｅ）と、を含んで構成されている。
なお、ここでは、サーバ装置１０の記憶部１２に、物品ＤＢ１２Ａ、スキルＤＢ１２Ｂ、提供者ＤＢ１２Ｃ、ユーザＤＢ１２Ｄ、及び購入ＤＢ１２Ｅが設けられる例を示すが、サーバ装置１０とネットワークを介して通信可能に接続された他のデータサーバに、これらのデータベースが設けられる構成としてもよい。
さらに、記憶部１２には、サーバ装置１０を情報処理装置として機能させるための情報処理プログラムが記憶されている。
【００１２】
（物品ＤＢ１２Ａに記憶される物品情報）
物品ＤＢ１２Ａは、物品情報が記憶されるデータベースである。
この物品情報は、インターネットを介して販売される物品（品物）である自動車のパーツに関する情報であり、例えば、パーツを販売する販売者が管理する販売者端末４０から送信される。
図３は、物品ＤＢ１２Ａに記録される物品情報に含まれる各情報の一例を示す図である。
物品情報は、例えば図３に示すように、物品ＩＤ、物品名、物品カテゴリ、物品価格、物品紹介情報、正規対応車種、正規必要品、販売元情報、及び物品評価情報等を含む。
物品ＩＤは、物品である各パーツを識別する識別情報である。
物品名は、物品の正式な名称である。
物品カテゴリは、物品のカテゴリであり、例えば、カーナビゲーション装置、オーディオ装置等が記録される。この物品カテゴリとしては、例えば、「電装部品」等の大分類カテゴリ、「カーナビゲーション装置」等の中分類カテゴリ、メーカー名等の小分類カテゴリが含まれ、階層的にカテゴリが分類されていてもよい。または、「インパネ」等の物品を装着する部位を分類した部位カテゴリ、「ＡＶ機器」等の物品を機能的に分類した機能カテゴリ、メーカー名で物品を分類したメーカーカテゴリ、耐久年数等の性能によって物品を分類した性能カテゴリ等、複数の視点で物品を分類した際のそれぞれのカテゴリが記録されていてもよい。
物品価格は、物品の販売価格である。
物品紹介情報は、パーツの詳細な情報であり、例えばテキストベースの物品の詳細な紹介文が記録されていてもよく、物品の写真や動画等が記録されていてもよい。
【００１３】
正規対応車種は、販売者（販売店）またはメーカーが認定している、物品を装着可能な車種が記録されている。
正規必要品は、販売者（販売店）またはメーカーが認定している、物品を装着する際に必要となる他の部品（パーツ）や工具等が記録されている。
なお、正規対応車種、及び正規必要品は、物品によっては記録されないものもある。
販売元情報は、物品を販売する販売者に関する情報であり、例えば、販売者名、販売者（販売店）の場所、販売者の連絡先、他のユーザからの販売者の評価等が記録される。なお、本実施形態では、物品情報に販売元情報が含まれる例を示すが、物品ＤＢ１２Ａとは別の販売元データベースに販売元情報が記録され、物品情報には販売元を特定する販売者ＩＤのみが記録されるデータ構成としてもよい。
物品評価情報は、他のユーザからの物品に対する評価であり、例えば、価格、コストパフォーマンス、性能、耐久性等の複数の評価項目に対し、評価点や評価コメントが記録される。
なお、ここでは、複数のカー用品販売店等の複数の販売者から物品情報が送信されて、物品ＤＢ１２Ａに蓄積される例を示すが、単一の販売者であってもよい。すなわち、販売者自身がサーバ装置１０を管理し、自身で販売する物品に関する物品情報を物品ＤＢ１２Ａに記憶してもよい。この場合、物品情報に、販売元情報が含まれなくてもよい。
【００１４】
（スキルＤＢ１２Ｂに記録されるスキル提供情報）
スキルＤＢ１２Ｂは、本発明のスキル記憶部に相当し、スキル提供情報が記憶されるデータベースである。
スキル提供情報は、インターネットを介して販売されるスキル及びスキルを提供するスキル提供者に関する情報であり、スキル提供者が提供者端末３０を操作することでサーバ装置１０に送信される。
図４は、スキルＤＢ１２Ｂに記録されるスキル提供情報に含まれる各情報の一例を示す図である。
スキル提供情報は、スキルを紹介する情報であり、図４に示すように、スキルＩＤ、提供者ＩＤ、スキル名、スキルカテゴリ、スキル紹介、スキル費用、対応物品、対応車種、作業時必要品、作業時間等を含む。ここで、スキル名、スキルカテゴリ、スキル紹介、スキル費用、対応物品、対応車種、作業時間は、スキル提供者が実施するスキルの内容を案内するためのスキル案内情報に相当する。
【００１５】
スキルＩＤは、スキル提供情報を識別するための識別情報である。
提供者ＩＤは、スキルを提供するスキル提供者を示す情報であり、例えばスキル提供者を識別するための情報である。なお、本実施形態では、スキル提供者に関するより詳細な情報（提供者情報）は、提供者ＤＢ１２Ｃに記録されるが、スキル提供情報に、提供者情報が含まれるように構成してもよい。
【００１６】
スキル名は、スキル提供者が提供するスキルの名称であり、例えば、「カーナビ装着」「タイヤ交換」等が記録される。
スキルカテゴリは、スキル提供者が提供するスキルのカテゴリである。スキルカテゴリは、「カーナビ装着」等の１つのカテゴリのみが記録されていてもよく、大分類スキル種別、中分類スキル種別、小分類スキル種別等が階層的に記録されていてもよい。
スキル紹介は、スキルの詳細な内容であり、例えばテキストベースにより、スキルの紹介文が記録されていてもよく、スキル提供者が過去に行った作業による自動車の写真や動画等の画像が記録されていてもよい。
【００１７】
対応物品は、スキル提供者がスキルを提供する対象となる物品に関する情報である。この対応物品としては、例えば、物品のメーカー名、製品名、型番等の詳細な物品の情報が記録されていてもよく、物品カテゴリ等が記録されていてもよい。この対応物品は、スキル提供者がスキル提供を実施可能な物品であり、スキル提供者により登録される。
【００１８】
対応車種は、スキル提供の作業対象となる自動車の車種や自動車のメーカー名等が記録される。この対応車種は、スキル提供者が対応物品を用いた作業を実施することができると認定した車種であり、スキル提供者により登録される。したがって、物品情報の正規対応車種とは異なり、スキル提供者が過去に作業を行ったことがある車種等のスキル提供者の実績等に基づいた情報となる。
作業時必要品は、スキル提供者が、スキル提供を実施する際に必要となる必要品が記録されている。
【００１９】
作業時間は、スキル提供者がスキル提供の実施に係る時間である。この作業時間は、スキル提供者が予め作業に係る時間を予め登録することで記録されてもよい。また、スキル提供者の過去のスキル提供履歴に基づいて算出される情報であってもよい。例えば、スキル提供者が作業を実施する度に、提供者端末３０からサーバ装置１０に作業時間を送信し、サーバ装置１０がその平均値や中央値等の代表値を算出して、スキル提供情報の作業時間として記録してもよい。また、作業の開始時及び終了時に、スキル提供者又はユーザが、作業対象の画像を撮像してサーバ装置１０に送信し、サーバ装置１０が画像に付されたタイムスタンプから作業時間を算出して記録してもよい。
【００２０】
（提供者ＤＢ１２Ｃに記録される提供者情報）
提供者ＤＢ１２Ｃは、スキル提供者の詳細に関する提供者情報が記録される。
提供者情報には、提供者ＩＤ、提供者名、連絡先情報、対応可能日時、作業場情報、対応可能エリア、アピール情報、支払先情報、及び提供者評価情報等が記録される。なお、本実施形態では、スキルＤＢ１２Ｂに記録されるスキル提供情報とは別に、提供者情報が提供者ＤＢ１２Ｃに記録される例を示すが、スキル提供情報に、提供者情報が含まれてもよい。ここで、作業場情報及び対応可能エリアは、スキルを提供する場所に関する提供場所情報に相当する。
提供者ＩＤは、上述したスキル提供情報の提供者ＩＤと共通であり、各提供者ＩＤに対してそれぞれ提供者情報が設けられる。
提供者名は、スキル提供者の氏名やハンドルネームを示す情報であり、連絡先情報は、スキル提供者のメールアドレスや電話番号、住所等の連絡先を示す情報である。
対応可能日時は、スキル提供者がスキルを提供可能な日時を記録する。例えば、「平日のみ」「休日のみ」等の作業可能な曜日、「午前中」「夕方以降」「１５時から１８時」等の作業可能な時刻に関する情報が記録される。
作業場情報は、スキル提供者がスキル提供を実施可能な作業場（ガレージ等）の有無や、作業場の位置等が記録されている。
対応可能エリアは、スキル提供者によるスキル提供が可能なエリアを記録する。この対応可能エリアは、スキル提供者が、ユーザの自宅や職場等に出向いてスキルを提供する場合に記録され、スキル提供者が出向くことが可能な範囲が記録される。
【００２１】
アピール情報は、例えば、提供するスキルを業としているか否か、提供するスキルに関する資格を有しているか、提供するスキルの提供年数等、スキル提供に係る信頼性を示す情報が記録される。また、アピール情報として、例えば整備士免許のキャプチャ画像等が記録されていてもよい。
支払先情報は、ユーザがスキル提供者からスキルを購入する際の、スキル費用の支払先を示す情報である。
提供者評価情報は、スキル提供者のスキル提供に関する評価が記録されている。提供者評価情報としては、例えば、スキルを購入したユーザが投稿した評価点や評価コメントが記録される。また、スキル提供者が実施した過去の作業に係る作業前後や作業中の写真や動画などの画像が記録されていてもよく、作業にかかった作業時間等が記録されていてもよい。
ユーザから投稿される評価点や評価コメントとしては、例えば、作業対象の機能に関する機能性評価、作業後の外観に関する外観評価、作業の効率性に係る効率性評価、スキル提供者のユーザに対する接し方に関する接客評価等が含まれる。
【００２２】
（ユーザＤＢ１２Ｄに記録されるユーザ情報）
ユーザＤＢ１２Ｄには、商取引システム１を利用するユーザに関するユーザ情報が記録される。ユーザ情報は、ユーザＩＤ、ユーザプロフィール情報、所有車両情報、購入履歴、依頼評価情報等を含む。
ユーザＩＤは、個々のユーザを識別するための情報である。
ユーザプロフィール情報は、ユーザの連絡先、ユーザの居所等の活動圏等を記録する。
所有車両情報は、ユーザが所有する自動車に関する情報である。この所有車両情報としては、例えば、ユーザが所有する自動車のメーカー名、車種、年式等の車両情報が含まれる。
購入履歴は、ユーザがインターネットを介して物品やスキルを購入した履歴である。
【００２３】
依頼評価情報は、ユーザがスキル提供者のスキル提供（自動車に対する作業）を依頼した際の、スキル提供者によるユーザの評価である。依頼評価情報としては、例えば、ユーザのスキル提供者から送信された依頼内容の正確さや虚偽の情報の有無等が記録されている。
【００２４】
（制御部１３の機能構成）
制御部１３は、ＣＰＵ（Central Processing Unit）等の演算回路、ＲＡＭ（Random Access Memory）等の記憶回路により構成される。制御部１３は、記憶部１２等に記憶されているプログラムをＲＡＭに展開し、ＲＡＭに展開されたプログラムとの協働で、各種処理を実行する。
そして、制御部１３は、記憶部１２に記憶された情報処理プログラムを読み取り実行することで、図２に示すように、登録部１３１、物品取得部１３２、スキル取得部１３３、コンテンツ送信部１３４、購入要求取得部１３５、及び決済処理部１３６等として機能する。
【００２５】
登録部１３１は、提供者端末３０から送信されたスキル提供者のスキルを登録する旨の登録要求を受け付け、スキル提供情報、及び提供者情報を更新する。つまり、登録部１３１は、スキル登録部として機能する。また、登録部１３１は、販売者端末４０から送信された物品の登録要求を受け付け、物品情報を更新する。
【００２６】
物品取得部１３２は、物品ＤＢ１２Ａから所定の物品に対応する物品情報を抽出する。なお、ここで述べる「物品情報」とは、ユーザ端末２０に情報を提示する対象の物品情報であり、例えば、ユーザ端末２０においてユーザが指定した物品、ユーザが指定したスキルに対応した物品、ユーザに推奨する物品、ユーザに推奨するスキルに対応した物品等の情報である。
スキル取得部１３３は、スキルＤＢ１２Ｂからスキル提供情報を取得する。なお、スキル取得部１３３により取得されるスキル提供情報とは、ユーザ端末２０に情報を提示するスキルであり、例えば、ユーザ端末２０においてユーザが指定した物品を用いた作業を行うスキル、ユーザが指定したスキル、ユーザに推奨する物品を用いた作業を行うスキル、ユーザに推奨するスキル等の情報である。
【００２７】
コンテンツ送信部１３４は、物品の販売を案内するコンテンツや、スキルの販売を案内するコンテンツ等を生成し、ユーザ端末２０に送信する。
【００２８】
購入要求取得部１３５は、ユーザ端末２０から物品やスキルの購入を要求する購入要求を受け付け、記憶部１２に設けられた購入ＤＢ１２Ｅに登録する。
決済処理部１３６は、ユーザ端末２０から買い物カゴに登録した物品やスキルの購入を決定する旨、つまり決済を要求する旨の決済要求を受信すると、支払額を案内する決済確認コンテンツをユーザ端末２０に送信して決済処理を促す。この決済処理は、例えば銀行振込による支払であってもよく、クレジットカードを用いた支払であってもよい。本実施形態では、サーバ装置１０は、銀行やクレジットカード会社等が管理する金融機関サーバと提携し、インターネットを介してこれらの金融機関サーバと通信可能に接続されている。このため、決済処理部１３６は、ユーザからスキル提供に係る費用を支払った旨のユーザ決済情報を、金融機関サーバから取得することができる。
【００２９】
［ユーザ端末２０、提供者端末３０、及び販売者端末４０の構成］
ユーザ端末２０は、上述のように、ユーザが操作するコンピュータであり、例えばスマートフォンやタブレット端末、パーソナルコンピュータ等により構成される。つまり、ユーザ端末２０は、各種情報を表示させる表示ディスプレイ、各種情報を入力操作するための入力操作部、インターネットを介してサーバ装置１０等を通信する通信部、各種情報を記憶する記憶部、及びユーザ端末２０を制御する制御部等を含んで構成される。
提供者端末３０は、上述のように、スキル提供者が操作するコンピュータであり、例えばスマートフォンやタブレット端末、パーソナルコンピュータ等により構成される。つまり、提供者端末３０は、各種情報を表示させる表示ディスプレイ、各種情報を入力操作するための入力操作部、インターネットを介してサーバ装置１０等を通信する通信部、各種情報を記憶する記憶部、及び提供者端末３０を制御する制御部等を含んで構成される。
販売者端末４０は、上述のように、物品を販売する販売者が操作するコンピュータであり、例えばスマートフォンやタブレット端末、パーソナルコンピュータ等により構成される。つまり、販売者端末４０は、各種情報を表示させる表示ディスプレイ、各種情報を入力操作するための入力操作部、インターネットを介してサーバ装置１０等を通信する通信部、各種情報を記憶する記憶部、及び販売者端末４０を制御する制御部等を含んで構成される。
【００３０】
［情報処理方法］
次に、上述したような商取引システム１における情報処理方法について説明する。
図５は、サーバ装置１０の商取引処理（情報処理方法）を示すフローチャートである。
本実施形態の商取引システム１では、まず、スキル提供者は、提供者端末３０からスキル提供情報及び提供者情報の登録に必要な各種情報をサーバ装置１０に送信する。つまり、登録部１３１は、提供者端末３０から、スキルのスキル名、スキルカテゴリ、スキル紹介、スキル費用、対応物品、作業時必要品、作業時間、提供者名、連絡先情報、作業場情報、対応可能エリア、対応可能日時、アピール情報、支払先情報等を受け付ける。これにより、登録部１３１は、スキル提供情報や提供者情報を生成または更新する。
同様に、販売者は、販売者端末４０から物品情報の登録に必要な各種情報をサーバ装置１０に送信する。つまり、登録部１３１は、販売者端末４０から、物品名、物品カテゴリ、物品紹介情報、正規対応車種、正規必要品、販売元情報等を受け付け、物品情報を生成または更新する。
【００３１】
本実施形態の商取引システム１では、ユーザがユーザ端末２０を操作し、インターネットを介してサーバ装置１０が提供（公開）するトップコンテンツ（トップページ）にアクセス、つまり、ユーザ端末２０からサーバ装置１０にトップページの送信を要求する。サーバ装置１０のコンテンツ送信部１３４は、ユーザ端末２０からトップページの送信要求を受信すると（ステップＳ１０１）、トップページを生成して（ステップＳ１０２）、ユーザ端末２０に送信する（ステップＳ１０３）。
【００３２】
図６は、トップページ６１０の一例を示す図である。
本実施形態では、コンテンツ送信部１３４は、トップページ６１０として、スキルの販売を紹介するコンテンツをユーザ端末２０に送信する。
トップページ６１０は、図６に示すように、スキル検索部６１１、推奨スキル表示部６１２等を含む。
【００３３】
スキル検索部６１１は、例えば、スキルキーワード入力部６１１Ａ、及びスキルカテゴリ選択部６１１Ｂなどを備える。スキルキーワード入力部６１１Ａは、ユーザ操作によって、スキルを検索する際のキーワードの入力が可能となる入力欄である。ユーザ端末２０に表示されたトップページ６１０において、スキルキーワード入力部６１１Ａにキーワードを入力することで、ユーザ端末２０からサーバ装置１０に、入力されたキーワードを検索条件とするスキル検索要求が送信される。
また、スキルカテゴリ選択部６１１Ｂには、ユーザにより選択可能な複数のスキルカテゴリが表示される。ユーザ端末２０に表示されたトップページ６１０において、スキルカテゴリ選択部６１１Ｂのいずれかのスキルカテゴリが選択されると、ユーザ端末２０からサーバ装置１０に、選択されたスキルカテゴリを検索条件とするスキル検索要求が送信される。
なお、ここでは、トップページ６１０の画面構成の一例として、スキルキーワード入力部６１１Ａ、及びスキルカテゴリ選択部６１１Ｂを備える例を示すが、これに限定されない。例えば、トップページ６１０に、スキル検索を実施する旨の検索アイコンを表示させ、ユーザ端末２０により検索アイコンが選択された場合に、スキル検索のためのキーワード入力欄や、カテゴリ選択欄を別途表示させる構成としてもよい。
また、トップページ６１０には、その他、本実施形態の商取引システム１を利用するユーザ間のメッセージ交換等を行う掲示板やメッセージボード、メールボックス等を表示させる旨のトークアイコン、ユーザがスキル提供者としてスキルを登録する旨の出品アイコン、ユーザの各種情報の変更や、過去の取引履歴等の閲覧を行うためのマイページアイコン等が別途設けられてもよい。
【００３４】
推奨スキル表示部６１２は、ユーザに対して推奨するスキルを表示させる部分である。推奨するスキルは、ユーザ情報等の抽出条件等に基づいて選択される。
例えば、作業対象のパーツをトリガーとしたスキル提供情報を挿入する。例えばユーザ情報の所有車両情報として車種Ｃ１が記録されている場合、スキル取得部１３３は、車種Ｃ１に装着可能なパーツに係る作業を行うスキルのスキル提供情報等を取得する。そして、コンテンツ送信部１３４は、推奨スキル表示部６１２に、取得されたスキル提供情報の各種情報（例えば、スキル名、スキル紹介、スキル提供価格等）を挿入する。
なお、ここでは、トップページ６１０に、推奨スキル表示部６１２が表示される例を示すが、コンテンツ送信部１３４は、推奨スキル表示部６１２に、スキル提供者により新規登録されたスキルを新着順に表示させてもよい。
また、本実施形態では、ユーザ端末２０からトップページの送信要求を受信した時点で、ユーザに推奨するスキルを推奨スキル表示部６１２に表示させるため、コンテンツ送信部１３４は、ステップＳ１０２において、トップページ６１０を生成するとしたが、例えば、スキル検索部６１１と、予め設定された内容とを表示させたトップページを表示させる場合では、ステップＳ１０２の処理を行わず、予め生成されたトップページをユーザ端末２０に送信すればよい。
【００３５】
そして、サーバ装置１０は、ユーザ端末２０からトップページに対するアクション要求を受信すると、当該アクション要求に対応した各種処理を実施する。
このアクション要求は、ユーザ端末２０において表示されたトップページ６１０に対して、ユーザが実施した操作に応じた要求情報である。
ここで受信されるアクション要求としては、例えば、ユーザによりスキル検索部６１１に対する操作が入力された場合に、ユーザ端末２０から送信されるスキル検索要求、ユーザにより推奨スキル表示部６１２に表示されたスキルを選択する操作が入力された場合に、ユーザ端末２０から送信されるスキル紹介要求、等が挙げられる。
サーバ装置１０は、アクション要求としてスキル検索要求を受信すると、スキル一覧処理を実施する。
また、サーバ装置１０は、アクション要求としてスキル紹介要求を受信すると、スキル紹介処理を実施する。
以降、アクション要求に対応した各種処理の各々について説明する。
【００３６】
（スキル一覧処理）
まず、サーバ装置１０がユーザ端末２０からアクション要求としてスキル検索要求を受信した際に実施されるスキル一覧処理について説明する。
図７は、スキル一覧処理を示すフローチャートである。
スキル一覧処理では、スキル取得部１３３は、スキルＤＢ１２Ｂから、スキル検索要求に含まれる検索条件（例えば、スキル検索のキーワードや、カテゴリ等）に基づいて、検索条件に対応するスキル提供情報を検索する（ステップＳ２０１）。この検索条件は、本発明のスキル抽出条件に相当する。検索されたスキル提供情報は、提供スキル候補となる。
また、物品取得部１３２は、ステップＳ２０１で検索された各スキル提供情報に含まれる対応物品に対応する物品情報を取得する（ステップＳ２０２）。
さらに、スキル取得部１３３は、ステップＳ２０１で検索された各スキル提供情報に含まれる提供者ＩＤに対応する提供者情報を、提供者ＤＢ１２Ｃから取得する（ステップＳ２０３）。
そして、スキル取得部１３３は、検索された各スキル提供情報に関し、作業時必要品が記録されているか否かを判定する（ステップＳ２０４）。ステップＳ２０４でＹｅｓと判定した場合、物品取得部１３２は、作業時必要品に対応する物品情報を取得する（ステップＳ２０５）。
【００３７】
この後、コンテンツ送信部１３４は、ステップＳ２０１で検索された提供スキル候補を一覧表示させるスキル一覧コンテンツを生成し（ステップＳ２０６）、ユーザ端末２０に送信する（ステップＳ２０７）。
図８は、スキル一覧コンテンツ６２０の一例を示す図である。
図８において、スキル一覧コンテンツ６２０は、提供スキル候補を一覧表示させるスキル一覧表示部６２１を有する。また、スキル一覧コンテンツ６２０に、スキル検索部６１１が含まれてもよく、上述したようなトークアイコンやマイページアイコン等がさらに設けられていてもよい。
【００３８】
スキル一覧表示部６２１には、検索された各提供スキル候補のスキル提供情報に基づいた、スキル名、スキル提供者（作業者）、スキル提供価格、対応物品、必要品等が表示される。つまり、検索条件に応じたスキルが一覧表示されるとともに、各スキルを提供する際に必要となる必要品が表示される。
図８の例では、対応物品は、「作用パーツ」として表示され、提供スキル候補のスキル提供情報に記録された対応物品が表示される。ここで、対応物品には複数の物品名が記録されていてもよく、物品カテゴリ（例えばＡメーカー製のカーナビ等）が記録されていてもよい。したがって、１つの提供スキル候補に対して１つの物品が表示されてもよく、１つの提供スキル候補に対して、複数の物品が表示されてもよく、代表となるいずれか１つの対応物品のみが表示されてもよく、複数の対応物品がある旨の表示を行ってもよい。
また、必要品は、スキル提供情報に記録される作業時必要品が表示される。なお、必要品として、対応物品の物品情報に記録された正規必要品がさらに表示されてもよい。
【００３９】
さらに、コンテンツ送信部１３４は、スキル一覧コンテンツ６２０において、スキル一覧表示部６２１に表示された各情報にリンク情報を設ける。
例えば、スキル名やスキル提供者には、ユーザ端末２０においてユーザ操作により選択された際に、そのスキルの詳細を紹介するスキル紹介コンテンツを表示させる旨のリンク情報が設けられる。対応物品や必要品には、その物品の詳細を紹介する物品紹介コンテンツを表示させる旨のリンク情報が設けられる。なお、対応物品において、代表となる対応物品のみを表示させる場合や、複数の対応物品がある旨を表示させる場合では、これらの対応物品の一覧を紹介する物品一覧コンテンツを表示させる旨のリンク情報が設けられてもよい。
【００４０】
ステップＳ２０７の後、コンテンツ送信部１３４は、ユーザ端末２０からのアクション要求を受信すると、当該アクション要求に応じた各種情報処理を実施する。ここで受信されるアクション要求としては、例えば、スキル紹介要求、物品紹介要求、必要品紹介要求、及び、スキル検索要求等が挙げられる。
具体的には、ユーザ端末２０に表示されたスキル一覧コンテンツ６２０に対して、ユーザ操作によって、スキル検索部６１１にスキルの検索条件が入力されると、ユーザ端末２０はサーバ装置１０に当該検索条件を含むスキル検索要求をアクション要求として送信する。サーバ装置１０は、スキル検索要求を受信した場合、新たに入力された検索条件に基づいたステップＳ２０１からステップＳ２０７に示すスキル一覧処理を再度実施する。
スキル一覧コンテンツ６２０に対して、ユーザ操作によって、スキル名または提供者名が選択されると、ユーザ端末２０は、リンク情報に基づいてスキル紹介要求をサーバ装置１０に送信する。サーバ装置１０は、スキル紹介要求を受信した場合、後述するスキル紹介処理を実施し、スキル紹介コンテンツをユーザ端末２０に送信する。
スキル一覧コンテンツ６２０に対して、ユーザ操作によって、対応物品や必要品（作業時必要品や正規必要品）が選択されると、ユーザ端末２０は、リンク情報に基づいて物品紹介要求をサーバ装置１０に送信する。サーバ装置１０は、物品紹介要求を受信した場合、後述する物品紹介処理を実施し、物品紹介コンテンツをユーザ端末２０に送信する。
【００４１】
（スキル紹介処理）
次に、サーバ装置１０がユーザ端末２０からスキル紹介要求を受信した際に実施されるスキル紹介処理について説明する。
図９は、スキル紹介処理を示すフローチャートである。
スキル紹介処理では、スキル取得部１３３は、ユーザ端末２０からスキル紹介要求を受信すると、スキル紹介要求に対応するスキル提供情報、及び当該スキル提供情報に対応する提供者情報をそれぞれ読み出す（ステップＳ３０１）。つまり、スキル取得部１３３は、ユーザにより選択されたスキルに対応するスキル提供情報と、そのスキルを提供するスキル提供者の提供者情報を取得する。
また、物品取得部１３２は、物品ＤＢ１２ＡからステップＳ３０１で取得されたスキル提供情報の対応物品の物品情報、及び、スキル提供情報の作業時必要品の物品情報を読み出す（ステップＳ３０２）。この際、読み出した物品情報の正規必要品に対応した物品情報をさらに読み出してもよい。
【００４２】
この後、コンテンツ送信部１３４は、読み出されたスキル提供情報、提供者情報、及び物品情報に基づいて、スキル紹介コンテンツを生成し（ステップＳ３０３）、ユーザ端末２０に送信する（ステップＳ３０４）。
【００４３】
図１０は、スキル紹介コンテンツ６３０の一例を示す図である。
スキル紹介コンテンツ６３０は、図１０に示すように、スキル紹介表示部６３１を備える。スキル紹介表示部６３１には、スキル提供情報及び提供者情報に基づいて各情報が挿入され、紹介対象となるスキルのスキル名、スキルカテゴリ、スキル提供価格、対応車種、対応可能エリア、対応可能日時、提供スキルの詳細、スキル提供者の評価、スキル提供者名、連絡先や作業場所やアピール情報等を含むスキル提供者のプロフィール等が表示される。
【００４４】
また、スキル紹介コンテンツ６３０は、作業対象となる物品を示す対応物品表示部６３２を備える。この対応物品表示部６３２は、スキル提供情報の対応物品が表示される部分であり、複数の対応物品が表示されていてもよい。
また、この対応物品表示部６３２には、対応物品を選択するための物品選択部６３２Ａが表示されていてもよい。物品選択部６３２Ａは、例えばチェックボックスであり、複数の対応物品が表示される場合は、１つ以上を選択することが可能となる。この物品選択部６３２Ａは、ユーザがスキルと同時に対応物品を購入する場合に選択する。
【００４５】
さらに、スキル紹介コンテンツ６３０は、物品を装着する際に必要となる作業時必要品を表示させる作業時必要品表示部６３３を備える。この作業時必要品表示部６３３は、スキル提供情報に含まれる作業時必要品が表示される部分である。
この作業時必要品表示部６３３には、作業時必要品を選択するための作業時必要品選択部６３３Ａが表示される。作業時必要品選択部６３３Ａは、例えばチェックボックスであり、ユーザが作業時必要品とスキルとを同時に購入する際に選択する。この際、ユーザは、複数の作業時必要品選択部６３３Ａを選択することも可能となる。
なお、図１０では図示を省略するが、対応物品に対応した物品情報に記録される正規必要品を別途表示させてもよい。この場合、作業時必要品表示部６３３と同様に、正規必要品を選択するためのチェックボックス等を同時に表示させることが好ましい。
【００４６】
ここで、コンテンツ送信部１３４は、対応物品表示部６３２に表示させる各対応物品に対して、対応する物品を紹介する物品紹介コンテンツへのリンク情報を設ける。また、コンテンツ送信部１３４は、作業時必要品表示部６３３に表示させる作業時必要品に対して、対応する作業時必要品を紹介する物品紹介コンテンツへのリンク情報を設ける。
【００４７】
さらに、スキル紹介コンテンツ６３０には、購入選択部６３４及び決済選択部６３５が含まれる。
購入選択部６３４は、ユーザがスキルを購入する際に選択するアイコンである。
決済選択部６３５は、購入候補として選択された物品やスキルの購入に係る決済処理を行うためのアイコンである。
本実施形態では、ユーザ端末２０において表示されたスキル紹介コンテンツ６３０において、購入選択部６３４が選択されると、物品選択部６３２Ａ、及び作業時必要品選択部６３３Ａにおいて選択された物品（対応物品、作業時必要品、正規必要品）と、対象スキルとを購入候補とする旨の購入候補要求が、ユーザ端末２０からサーバ装置１０に送信される。なお、本実施形態では、ユーザが購入選択部６３４を選択することで、対象スキルと、ユーザによって選択された物品が購入候補として保持され、購入ＤＢ１２Ｅに記録される。つまり、購入対象が「買い物カゴ」に入れられる。
【００４８】
ステップＳ３０４の後、サーバ装置１０は、ユーザ端末２０からの各種要求を受信し、受信した要求に応じた各種処理を実施する。
ここで、受信される要求としては、例えば、物品紹介要求、必要品紹介要求、購入要求、及び、決済要求等が挙げられる。
具体的には、ユーザ端末２０に表示されたスキル紹介コンテンツ６３０に対して、ユーザ操作によって、対応物品が選択されると、ユーザ端末２０は、リンク情報に基づいて物品紹介要求をサーバ装置１０に送信する。また、スキル紹介コンテンツ６３０に対して、ユーザ操作によって、必要品（作業時必要品や正規必要品）が選択されると、ユーザ端末２０は、リンク情報に基づいて必要品紹介要求をサーバ装置１０に送信する。サーバ装置１０は、物品紹介要求や必要品紹介要求を受信した場合、後述する物品紹介処理を実施し、物品紹介コンテンツをユーザ端末２０に送信する。
ユーザ端末２０に表示されたスキル紹介コンテンツ６３０に対して、ユーザ操作によって、購入選択部６３４が選択されると、ユーザ端末２０は、購入要求をサーバ装置１０に送信する。サーバ装置１０は、購入要求を受信した場合、後述する購入登録処理を実施する。
ユーザ端末２０に表示されたスキル紹介コンテンツ６３０に対して、ユーザ操作によって、決済選択部６３５が選択されると、ユーザ端末２０は、決済要求をサーバ装置１０に送信する。サーバ装置１０は、決済要求を受信した場合、後述する決済処理を実施する。
【００４９】
（物品紹介処理）
次に、サーバ装置１０がユーザ端末２０から物品紹介要求や必要品紹介要求を受信した際に実施される物品紹介処理について説明する。
図１１は、物品紹介処理を示すフローチャートである。
物品紹介処理では、物品取得部１３２は、ユーザ端末２０から受信した物品紹介要求や必要品紹介要求に対応する物品の物品情報を、物品ＤＢ１２Ａから読み出す（ステップＳ４０１）。
【００５０】
この後、スキル取得部１３３は、スキルＤＢ１２ＢからステップＳ４０１で取得された物品情報に対応する物品を対応物品として含むスキル提供情報を読み出す（ステップＳ４０２）。
また、物品取得部１３２は、ステップＳ４０１で読み出された物品情報に含まれる正規必要品、及び、ステップＳ４０２で読み出されたスキル提供情報に含まれる作業時必要品に対応する物品情報を、物品ＤＢ１２Ａから読み出す（ステップＳ４０３）。
なお、ステップＳ４０２及びステップＳ４０３は、サーバ装置１０がユーザ端末２０から物品紹介要求を受信した場合のみ実施し、必要品紹介要求を受信した場合は省略されてもよい。これにより、例えば、ユーザが自動車に装着するパーツの詳細に関する物品紹介コンテンツを閲覧する際には、そのパーツを作業対象としたスキル提供者や、その作業に必要な作業時必要品や正規必要品等の必要品を表示させることができる。一方、必要品は、パーツを取り付ける際に必要となる部品であり、当該必要品を用いた作業においてさらに必要品が必要となる場合は少なく、当該必要品を主体とした作業を実施するスキル提供者は、ユーザが求めるスキル提供者ではない。したがって、ユーザが必要品の詳細に関する物品紹介コンテンツを閲覧する際には、その必要品を紹介する内容が表示されていれば十分であり、ステップＳ４０２やステップＳ４０３の処理を省略してもよい。
【００５１】
この後、コンテンツ送信部１３４は、読み出された物品情報に基づいて、物品紹介コンテンツを生成して（ステップＳ４０４）、ユーザ端末２０に送信する（ステップＳ４０５）。
【００５２】
図１２は、物品紹介コンテンツ６４０の一例を示す図である。
物品紹介コンテンツ６４０は、図１２に示すように、紹介対象となる物品の物品名、物品カテゴリ、物品価格、物品紹介情報（物品の画像や説明文等）、物品を装着可能な正規対応車種、物品に対する評価情報、物品を販売する販売者情報、販売者の評価情報等を含む、物品紹介表示部６４１を備える。
【００５３】
また、紹介対象の物品情報に正規必要品情報が含まれる場合、物品紹介コンテンツ６４０に正規必要品を表示させる正規必要品表示部６４２が設けられてもよい。この正規必要品表示部６４２は、例えば、正規必要品の物品情報に記録されたサムネイル画像が表示されてもよく、物品名のみが表示されてもよい。
正規必要品表示部６４２には、正規必要品を選択するための正規必要品選択部６４２Ａがさらに表示されることが好ましい。正規必要品選択部６４２Ａは、例えばチェックボックスであり、ユーザが正規必要品と対応物品とを同時に購入する際に選択する。正規必要品が複数ある場合、正規必要品表示部６４２に、各正規必要品に対応した正規必要品選択部６４２Ａが表示され、ユーザは、複数の正規必要品選択部６４２Ａを選択することも可能である。
【００５４】
さらに、物品紹介コンテンツ６４０には、提供スキル表示部６４３と、作業時必要品表示部６４４とが含まれてもよい。
提供スキル表示部６４３は、対応物品に対する提供スキル候補の一覧を表示させる表示部分である。提供スキル表示部６４３には、例えば、スキル名、スキル提供者名に対応した作業者名、スキル提供価格等が表示される。作業時必要品表示部６４４は、各提供スキル表示部６４３に対応して設けられ、作業時必要品を表示させる表示部分である。
このような提供スキル表示部６４３や作業時必要品表示部６４４を物品紹介コンテンツ６４０に設ける場合、提供スキルを選択するためのスキル選択部６４３Ａや、作業時必要品を選択するための作業時必要品選択部６４４Ａをさらに表示させることが好ましい。これらのスキル選択部６４３Ａや作業時必要品選択部６４４Ａは、例えばチェックボックスであり、ユーザがスキルと対応物品とを同時に購入する際に選択する。
なお、ユーザ端末２０から送信されたアクション要求が必要品紹介要求である場合は、上述したように、ステップＳ４０２及びステップＳ４０３の処理が省略されてもよく、この場合、コンテンツ送信部１３４は、物品紹介コンテンツ６４０に、正規必要品表示部６４２、提供スキル表示部６４３、及び作業時必要品表示部６４４を設けなくてもよい。
【００５５】
物品紹介コンテンツ６４０に、正規必要品表示部６４２や作業時必要品表示部６４４を設ける場合、コンテンツ送信部１３４は、正規必要品表示部６４２や作業時必要品表示部６４４に、対応する物品情報を紹介する物品紹介コンテンツへのリンク情報を設ける。
また、物品紹介コンテンツ６４０に、提供スキル表示部６４３を設ける場合、コンテンツ送信部１３４は、提供スキル表示部６４３に、対応するスキルを紹介するスキル紹介コンテンツへのリンク情報を設ける。
【００５６】
さらに、物品紹介コンテンツ６４０には、スキル紹介コンテンツ６３０と同様に、購入選択部６３４及び決済選択部６３５が含まれる。これらの購入選択部６３４及び決済選択部６３５は、スキル紹介コンテンツ６３０で説明したものと同一であるため、ここでの説明は省略する。
【００５７】
ステップＳ４０５の後、コンテンツ送信部１３４は、ユーザ端末２０からのアクション要求を受信し、当該アクション要求に応じた各種情報処理を実施する。ここで受信されるアクション要求としては、例えば、必要品紹介要求、スキル紹介要求、購入要求、及び、決済要求等が挙げられる。
具体的には、ユーザ端末２０に表示された物品紹介コンテンツ６４０に対して、ユーザ操作によって、必要品（作業時必要品や正規必要品）が選択されると、ユーザ端末２０は、リンク情報に基づいて必要品紹介要求をサーバ装置１０に送信する。サーバ装置１０は、物品紹介要求を受信した場合、上記ステップＳ４０１からステップＳ４０３の処理を実施し、必要品に対応した物品紹介処理を実施し、物品紹介コンテンツをユーザ端末２０に送信する。
物品紹介コンテンツ６４０に対して、ユーザ操作によって、提供スキル表示部６４３が選択されると、ユーザ端末２０は、リンク情報に基づいてスキル紹介要求をサーバ装置１０に送信する。サーバ装置１０は、スキル紹介要求を受信した場合、ステップＳ３０１からステップＳ３０４のスキル紹介処理を実施し、スキル紹介コンテンツをユーザ端末２０に送信する。
物品紹介コンテンツ６４０に対して、購入選択部６３４が選択されると、ユーザ端末２０は、購入要求をサーバ装置１０に送信する。サーバ装置１０は、購入要求を受信した場合、後述する購入登録処理を実施する。
物品紹介コンテンツ６４０に対して、ユーザ操作によって、決済選択部６３５が選択されると、ユーザ端末２０は、決済要求をサーバ装置１０に送信する。サーバ装置１０は、決済要求を受信した場合、後述する決済処理を実施する。
【００５８】
（購入登録処理及び決済処理）
次に、ユーザ端末２０からサーバ装置１０に、アクション要求として購入要求及び決済要求が送信された場合の決済処理について説明する。
サーバ装置１０がアクション要求として購入要求を受信した場合、購入要求取得部１３５は、購入対象（購入要求に含まれる物品やスキル）を特定し、ユーザＩＤとともに、記憶部１２に設けられた購入ＤＢ１２Ｅに登録する（購入登録処理）。
【００５９】
この後、サーバ装置１０の決済処理部１３６は、アクション要求として決済要求を受信すると、購入ＤＢ１２Ｅに記録されている物品やスキルの購入に係る決済処理を実施する。
この決済処理では、決済処理部１３６は、購入データベースに記録された全ての物品及びスキルと、これらの物品及びスキルの合計金額を表示させ、決済処理を促す決済確認ページをユーザ端末２０に送信して表示させる。決済確認ページでユーザ端末２０に案内する金銭の支払先は、例えば、サーバ装置１０の管理者が管理する支払先である。決済処理が正常に実施されると、ユーザが決済処理を実施した金融機関サーバからサーバ装置１０に、ユーザが物品やスキルの購入に係る金額を支払った旨のユーザ決済情報が送信される。これにより、決済処理部１３６は、さらに、販売者やスキル提供者が指定する支払先に対して、物品価格や、スキル提供価格に応じた金額を支払う決済処理を実施する。なお、決済処理は、従来のオンライン決済技術を用いることができる。
このような決済処理では、ユーザは、パーツとスキルとを購入する場合に、販売者及びスキル購入者に対してそれぞれ決済処理を行う必要がなく、１回の決済処理により、パーツおよびスキルを購入することが可能となる。
【００６０】
また、本実施形態では、ユーザから支払われた金銭のうち、スキル提供者への支払い分は、スキル提供者によるスキル提供が実施されて、ユーザ端末２０からサーバ装置１０にスキル提供者に対する評価が送信された後に、スキル提供者が指定した支払方法で支払われる。
【００６１】
［本実施形態の作用効果］
本実施形態の商取引システム１において、サーバ装置１０は、登録部１３１により、提供者端末３０から、スキルを紹介するスキル提供情報と、作業場所や対応可能エリアを含む提供者情報とを取得して登録する。また、スキル取得部１３３は、所定のスキルに対応するスキル提供情報及び提供者情報を取得する。そして、コンテンツ送信部１３４は、スキル提供情報及び提供者情報に基づいて、スキルの紹介や作業場所、対応可能エリアを表示させるスキル紹介表示部６３１を有するスキル紹介コンテンツ６３０をユーザ端末２０に送信する。
これにより、ユーザは、スキル紹介コンテンツ６３０により、スキルの内容と、そのスキルを提供可能な場所とを容易に確認することができる。よって、メッセージ交換等を用いた提供場所の確認等が不要となり、また、提供場所が遠い等の理由によるキャンセルも減るので、ユーザは、容易に、かつ適切にスキル提供を受けることができる。
【００６２】
また、本実施形態では、登録部１３１は、提供者端末３０から、スキルの提供時に必要となる作業時必要品をさらに取得する。そして、コンテンツ送信部１３４は、スキル提供情報に基づいて、さらに、作業時必要品表示部６３３を含むスキル一覧コンテンツ６２０やスキル紹介コンテンツ６３０をユーザ端末２０に送信する。
【００６３】
このような商取引システム１では、ユーザは、スキル一覧コンテンツ６２０やスキル紹介コンテンツ６３０により、スキル提供者が提供するスキルに加え、そのスキル提供者がスキルに係る作業を実施する際に、必要となる作業時必要品を知ることができる。
このため、ユーザは、スキル提供者にスキル提供を依頼した際に、スキル提供時までに作業時必要品を用意することができ、作業中にスキル提供者の作業が中断されたり、延期されたりすることが抑制され、適切なスキル提供を受けることができる。
【００６４】
また、一般に、このような必要品は、製品の詳細情報（正規必要品）として記載されていることが多いが、メーカー等によっては、記載されていない場合もある。このような場合、スキル提供者がパーツを自動車に装着する段階で、必要品が不足していることが判明し、作業日が先送りにされる等の不都合が発生することがある。
これに対し、本実施形態では、各スキル提供者から提供される情報に基づくスキル提供情報に作業時必要品が含まれ、コンテンツ送信部１３４は、この作業時必要品を各コンテンツに含ませて送信する。これにより、ユーザは、作業時に必要な物品を容易に確認できる。
【００６５】
さらに、パーツを特定の車種に装着する場合にのみ、特定の必要品が必要となる場合もある。このような場合、通常、メーカー側が製品情報として表示する正規対応車種や正規必要品に、当該特定の車種や特定の必要品が含まれないことが多い。言い換えると、特定の必要品さえ揃えば、正規対応車種以外の特定の車種においても、パーツを装着できることがある。しかしながら、従来のオンラインショップでは、このような情報を適正に示すことができず、ユーザは、正規対応車種に自身が保有する自動車の車種が記録されているパーツを選ぶ傾向にあった。
これに対して、本実施形態では、スキル提供者が、対応車種や作業時必要品を登録する。ここで、対応車種は、スキル提供者が実際にパーツを取り付けたことがある車種であり、作業時必要品は、その際に必要となる物品である。サーバ装置１０は、このような対応車種や作業時必要品を含めた各種コンテンツをユーザ端末２０に送信することで、ユーザは、パーツ選択の自由度を広げることができ、ユーザ満足度を大きく向上させることができる。
【００６６】
本実施形態では、スキル一覧コンテンツ６２０やスキル紹介コンテンツ６３０において、スキル提供の作業対象である対応物品が表示される。このため、ユーザは、対応物品及びスキルの双方の情報を、従来に比べてより簡便に情報を得ることができる。
すなわち、従来では、オンラインショップ等で物品の情報を得た後、その物品に対応したスキルをさらに調べたい場合、別途スキルを検索する必要があった。オンラインのスキル販売システムを用いてスキルを検索した場合も同様であり、提供してもらうスキルを見た後、そのスキル提供者にスキルの提供を依頼する際の物品を別途検索する必要があった。これに対して、本実施形態では、サーバ装置１０は、ユーザ端末２０に、物品と同時に、その物品に係る作業を行うスキルの情報を提供する。このため、物品とスキルとをそれぞれ別々に検索する必要がなく、ユーザは、より簡便に得たい情報を得ることができる。また、ユーザは、購入したパーツが、自身が保有する自動車に対して装着可能であるかを容易に判断することができ、誤ったパーツを購入してしまう不都合を抑制できる。
【００６７】
本実施形態では、スキル取得部１３３は、ユーザ端末２０からスキル紹介要求を受信した際に、スキル紹介要求に含まれる紹介要求対象のスキルに対応するスキル情報を取得し、物品取得部１３２は、スキル紹介要求に含まれる紹介要求対象のスキルに対応する物品の物品情報を取得する。つまり、物品取得部１３２は、紹介対象のスキルに対応するスキル提供情報に含まれる対応物品の物品情報を取得する。
この場合、物品取得部１３２は、１つのスキルに対応した全ての物品情報を抽出する。よって、コンテンツ送信部１３４は、ユーザが所望するスキルに関する情報を主体としたスキル紹介コンテンツ６３０を生成する際に、そのスキル提供者が対応可能な全ての物品を同時に表示させることができる。これにより、ユーザは、スキル提供者が、どのような物品を扱うことができるか等を把握でき、容易に物品の比較を行うことができ、スキル提供者のスキルの熟練度も容易に判断できる。
【００６８】
また、ユーザが保有する自動車に対して、ユーザが希望するパーツが対応しているか否かを判断することもできる。つまり、自動車に対して装着するパーツには、一般的に、装着可能な車種が説明書等に記載されているが、これらは、メーカー側がパーツの装着可能であること確認した車種である。よって、実際には、メーカー側が確認していない車種に関しても、パーツを装着可能な車種や、パーツを僅かに加工することで装着可能となる車種、作業時必要品を別途用いることで装着可能となる車種等が存在する。このような車種に関して、ユーザは知ることができない。これに対して、本実施形態では、パーツの取り付けに精通したスキル提供者が、スキル提供情報として、スキル提供者が対応車種や作業時必要品を登録する。よって、ユーザは、スキル紹介コンテンツ６３０に基づいて、ユーザが保有する自動車に対して、どのようなパーツを取り付けることが可能であるかを判断することができる。
【００６９】
本実施形態では、物品取得部１３２は、物品紹介要求を受信すると、物品紹介要求に含まれる紹介要求対象の物品に対応する物品情報を取得し、スキル取得部１３３は、物品紹介要求に含まれる紹介要求対象の物品に対応するスキル提供情報を取得する。つまり、物品取得部１３２は、紹介要求対象の物品に対応する物品情報を取得し、スキル取得部１３３は、紹介要求対象の物品を対応物品として記録するスキル提供情報を取得する。
スキル取得部１３３は、１つの対象物品に対応した複数のスキル提供情報を抽出する場合もある。この場合、コンテンツ送信部１３４は、ユーザが所望する物品に関する情報を主体とした物品紹介コンテンツ６４０を生成する際に、その物品に対応する複数の提供スキル候補を表示させることができる。これにより、ユーザは、所望の物品に対して、どのような提供スキル候補があるか、提供スキル候補の数はどの程度か等を把握でき、容易に、各提供スキル候補の比較を行うことができる。
【００７０】
本実施形態では、スキル取得部１３３は、ユーザ端末２０からスキル検索要求を受信すると、検索条件に基づいて複数のスキル提供情報を検索する。そして、コンテンツ送信部１３４は、これらのスキル提供情報に基づいて、複数のスキルを一覧表示させるとともに、各スキルに対して、作業時必要品を表示させたスキル一覧コンテンツ６２０をユーザ端末２０に送信する。
これにより、ユーザは、スキル提供者がスキルを提供することが可能な対応物品を確認するために、スキル紹介コンテンツ６３０を参照する必要がなく、スキル一覧コンテンツ６２０によりスキル及び物品を容易に確認することができる。また、どのスキル提供者に対して依頼すれば、作業時必要品が不要であるかを容易に判断することができる。
【００７１】
本実施形態のサーバ装置１０は、購入要求取得部１３５がユーザ端末２０からの購入要求を取得することで、購入対象の物品やスキルが購入ＤＢ１２Ｅ（買い物カゴ）に登録される。そして、決済処理部１３６は、ユーザ端末２０から決済要求を受信すると、購入データベースに記録されたこれらの物品やスキルの合計金額の支払いを案内する決済確認コンテンツをユーザ端末２０に送信して決済処理を促す。
このため、本実施形態では、物品の購入と、スキルの購入とをそれぞれ別決済とすることもできるが、１回の決済処理により、物品及びスキルの双方を同時に購入することができる。
【００７２】
［変形例］
なお、本発明は、上述した実施形態に限定されるものではなく、本発明の目的を達成できる範囲で、以下に示される変形をも含むものである。
［変形例１］
第一実施形態では、単一のサーバ装置１０によって、情報処理装置が構成される例を示すが、複数のコンピュータによって情報処理装置が構成される構成としてもよい。
図１３は、物品のオンライン販売を案内する第一サーバ装置１０Ａと、スキルのオンライン販売を案内する第二サーバ装置１０Ｂと、決済処理等を行う第三サーバ装置１０Ｃと、がそれぞれ独立して設けられた商取引システム１Ａの一例を示す図である。
第一サーバ装置１０Ａ、第二サーバ装置１０Ｂ、及び第三サーバ装置１０Ｃは、それぞれコンピュータにより構成され、相互に通信可能に接続されているとともに、インターネットを介して、ユーザ端末２０、提供者端末３０、販売者端末４０と通信可能となっている。
また、図１３の商取引システム１Ａでは、第一サーバ装置１０Ａが有する第一記憶部１２１に物品ＤＢ１２Ａが設けられ、第二サーバ装置１０Ｂが有する第二記憶部１２２にスキルＤＢ１２Ｂ及び提供者ＤＢ１２Ｃが設けられ、第三サーバ装置１０Ｃが有する第三記憶部１２３にユーザＤＢ１２Ｄが設けられている。なお、第一実施形態と同様、これらの物品ＤＢ１２Ａ、スキルＤＢ１２Ｂ、提供者ＤＢ１２Ｃ、及びユーザＤＢ１２Ｄは、他のデータサーバ等に設けられていてもよい。
【００７３】
そして、第一サーバ装置１０Ａの第一制御部１３Ａは、第一記憶部１２１に記録された所定のプログラムを読み出し実行することで、物品登録部１３１Ａ、第一物品取得部１３２Ａ、第一スキル取得部１３３Ａ、及び第一コンテンツ送信部１３４Ａとして機能する。
物品登録部１３１Ａは、第一実施形態の登録部１３１と略同様の機能であり、販売者端末４０から物品や販売者に関する各種情報を取得し、物品ＤＢ１２Ａの物品情報を登録または更新する。
【００７４】
第一物品取得部１３２Ａは、物品ＤＢ１２Ａから所定の物品に対応する物品情報を抽出する。また、第二サーバ装置１０Ｂから所定の物品に関する物品情報を要求する物品送信要求を受信した際に、対象となる物品に対する物品情報を物品ＤＢ１２Ａから抽出し、第二サーバ装置１０Ｂに送信する。
第一スキル取得部１３３Ａは、物品紹介コンテンツ６４０に対して表示させる対応物品に係る作業を行うスキルのスキル提供情報、及び提供者情報の送信を要求するスキル送信要求を第二サーバ装置１０Ｂに送信し、第二サーバ装置１０Ｂから、スキル提供情報や提供者情報を取得する。
【００７５】
第一コンテンツ送信部１３４Ａは、ユーザ端末２０に対して、物品紹介コンテンツ６４０等を送信する。
この際、第一コンテンツ送信部１３４Ａは、物品紹介コンテンツ６４０に含まれる提供スキル候補に対して、第二サーバ装置１０Ｂが提供するスキル一覧コンテンツ６２０やスキル紹介コンテンツ６３０へのリンク情報を設ける。よって、ユーザ端末２０においてユーザ操作によって提供スキル候補が選択された場合、ユーザ端末２０は、第二サーバ装置１０Ｂに対して、スキル検索要求やスキル紹介要求を送信する。
【００７６】
第二サーバ装置１０Ｂの第二制御部１３Ｂは、第二記憶部１２２に記録された所定のプログラムを読み出し実行することで、スキル登録部１３１Ｂ、第二物品取得部１３２Ｂ、第二スキル取得部１３３Ｂ、及び第二コンテンツ送信部１３４Ｂとして機能する。
スキル登録部１３１Ｂは、第一実施形態の登録部１３１と略同様の機能であり、提供者端末３０からスキルやスキル提供者に関する各種情報を取得し、スキルＤＢ１２Ｂのスキル提供情報や、提供者ＤＢ１２Ｃ提供者情報を登録または更新する。
【００７７】
第二物品取得部１３２Ｂは、スキル一覧コンテンツ６２０及びスキル紹介コンテンツ６３０に対して表示させる提供スキル候補に係る対応物品や作業時必要品、正規必要品の物品情報の送信を要求する物品送信要求を第一サーバ装置１０Ａに送信し、第一サーバ装置１０Ａから、物品情報を取得する。
第二スキル取得部１３３Ｂは、スキルＤＢ１２Ｂから所定のスキルに対応するスキル提供情報を抽出し、提供者ＤＢ１２Ｃからスキル提供情報に対応する提供者情報を抽出する。また、第一サーバ装置１０Ａからスキル送信要求を受信した際に、対象となる提供スキル候補に対するスキル提供情報や提供者情報をスキルＤＢ１２Ｂ及び提供者ＤＢ１２Ｃから抽出し、第一サーバ装置１０Ａに送信する。
【００７８】
第二コンテンツ送信部１３４Ｂは、ユーザ端末２０に対して、スキル一覧コンテンツ６２０、及びスキル紹介コンテンツ６３０等を送信する。
この際、第二コンテンツ送信部１３４Ｂは、スキル一覧コンテンツ６２０及びスキル紹介コンテンツ６３０に含まれる対応物品、正規必要品、及び作業時必要品に対して、第一サーバ装置１０Ａが提供する物品紹介コンテンツ６４０へのリンク情報を設ける。よって、ユーザ端末２０においてユーザ操作によって対応物品や必要品が選択された場合、ユーザ端末２０は、第一サーバ装置１０Ａに対して、物品紹介要求や必要品紹介要求を送信する。
【００７９】
第三サーバ装置１０Ｃの第三制御部１３Ｃは、第三記憶部１２３に記録された所定のプログラムを読み出し実行することで、購入要求取得部１３５、及び決済処理部１３６等として機能する。
商取引システム１Ａでは、物品紹介コンテンツ６４０やスキル紹介コンテンツ６３０が表示されたユーザ端末２０において、物品やスキルを購入する旨のユーザ操作が実施されると、ユーザ端末２０から第三サーバ装置１０Ｃに購入要求が送信される。
これにより、第三サーバ装置１０Ｃの購入要求取得部１３５は、購入要求を受信すると、ユーザＩＤとともに、購入対象の物品やスキルを第三記憶部１２３に設けられた購入ＤＢ１２Ｅ（いわゆる買い物カゴ）に登録する。
また、決済処理部１３６は、第一実施形態と同様であり、ユーザ端末２０から決済要求を受信すると、決済確認コンテンツをユーザ端末２０に送信し決済処理を促す。
【００８０】
このような商取引システム１Ａでは、従来の物品のみの販売を案内する物品販売用装置に対して、第一物品取得部１３２Ａ及び第一スキル取得部１３３Ａを設けることで、第一コンテンツ送信部１３４Ａにより、物品と、その物品に係る作業を行うスキルとの双方を案内することが可能な物品紹介コンテンツ６４０を提供することができる。
また、従来のスキルのみの販売を案内するスキル販売用装置に対して、第二物品取得部１３２Ｂ及び第二スキル取得部１３３Ｂを設けることで、第二コンテンツ送信部１３４Ｂにより、スキルと、そのスキルの対象となる物品との双方を案内することが可能なスキル一覧コンテンツ６２０やスキル紹介コンテンツ６３０を提供することができる。
【００８１】
［変形例２］
上記実施形態では、スキル一覧処理として、サーバ装置１０は、ユーザ端末２０からスキル検索要求を受信した際に、スキル検索要求に含まれる検索条件を本発明のスキル抽出条件として、スキル提供情報を検索したが、これに限定されない。
例えば、サーバ装置１０は、ユーザ端末２０から、推奨スキルのレコメンドを要求するレコメンド要求を受信した際にスキル一覧処理を実施してもよい。この場合、スキル取得部１３３は、例えば、ユーザ情報に記録された所有車両情報や、過去のユーザの購入履歴やインターネット上における検索履歴等をスキル抽出条件として、スキル提供情報を検索してもよい。
【００８２】
［変形例３］
上記実施形態では、スキル一覧処理、スキル紹介処理、及び物品紹介処理において、スキル取得部１３３は、ユーザ情報のユーザプロフィール情報（例えば居所や活動圏等）に基づいて、スキル提供情報や提供者情報を絞り込んでもよい。この場合、例えば、ユーザの活動圏に近いスキル提供者を抽出することができる。
【００８３】
［変形例４］
上記実施形態において、サーバ装置１０は、物品と、その物品に対応するスキルとを購入する決済処理が実施された場合に、さらに、物品の発送日を調整する発送日調整部を備えてもよい。
具体的には、サーバ装置１０は、物品及びスキルに対する決済処理が実施されると、スキル提供者がスキルを提供するスキル提供日時やスキル提供場所等の詳細を設定するためのメッセージ交換コンテンツをユーザ端末２０及び提供者端末３０に送信する。これにより、ユーザ及びスキル提供者は、メッセージ交換コンテンツを介してメッセージを交換し合うことで、スキル提供日時やスキル提供場所等を話し合うことができる。
そして、２者間でスキル提供日時やスキル提供場所が決定すると、ユーザ端末２０及び提供者端末３０のいずれかから、サーバ装置１０に、決定したスキル提供日時やスキル提供場所を送信する。
サーバ装置１０の発送日調整部は、ユーザ端末２０及び提供者端末３０のいずれかからスキル提供日時を受信すると、スキル提供日時の所定時間前（例えば前日等）を到着日時として物品を発送する旨を、販売者端末４０に送信する。
この場合、ユーザが、スキル提供日時まで物品を保管する手間やスペースを最小限に抑えることができる。
【００８４】
また、物品情報として、物品の発送可能日が記録され、コンテンツ送信部１３４は、物品紹介コンテンツ６４０、スキル紹介コンテンツ６３０等の各コンテンツに、発送可能日を含ませてもよい。さらに、コンテンツ送信部１３４は、物品情報の販売元情報に含まれる販売者の場所と、ユーザ情報のユーザプロフィール情報に含まれるユーザの居所とから配達距離や、配達に掛かる時間を算出して、各コンテンツに含ませてもよい。また、発送可能日と配達に掛かる時間とから最短受取日を算出して各コンテンツに含ませてもよい。この場合、ユーザ及びスキル提供者は、発送可能日を考慮して、スキル提供日時を決定することができる。
【００８５】
さらに、サーバ装置１０は、ユーザ端末２０及び提供者端末３０のいずれかからスキル提供場所を受信した際に、物品の発送先を変更するか否かを問う発送先変更要否情報を、ユーザ端末２０に送信してもよい。
具体的には、予め、記憶部１２に複数の物品受け取り施設（例えばコンビニエンスストア等）を記憶しておき、サーバ装置１０は、スキル提供場所を受信した際に、そのスキル提供場所に最も近い物品受け取り施設を検索する。そして、検索した物品受け取り施設での物品の受け取りを希望するか否かを問う発送先変更要否情報を、ユーザ端末２０に送信する。
サーバ装置１０は、ユーザ端末２０から、物品受け取り施設に発送先を変更する旨の返答があった場合、発送先を物品受け取り施設とする旨を、販売者端末４０に送信する。
【００８６】
［変形例５］
上記実施形態では、ユーザがステップＳ１０１でトップページ６１０にアクセスする例を示したが、これに限定されない。例えば、サーバ装置１０は、物品販売に係る物品トップページ、及び、スキル販売に係るスキルトップページをそれぞれインターネット上に公開してもよい。
物品トップページは、例えば従来の物品と取り扱うオンラインショッピングと略同様であり、ユーザに推奨する複数の物品を一覧表示した物品一覧表示部や、物品のキーワード検索やカテゴリ検索を行う検索部を備える。なお、物品一覧表示部に一覧表示される物品とともに、当該物品に係る作業を行うスキルを表示させてもよい。
スキルトップページは、例えば従来のスキルと取り扱うオンラインショッピングと略同様であり、ユーザに推奨する複数のスキルを一覧表示したスキル一覧表示部や、スキルのキーワード検索やカテゴリ検索を行う検索部を備える。なお、スキル物品一覧表示部に一覧表示されるスキルとともに、当該スキルに対応する物品を表示させてもよい。
【００８７】
［変形例６］
上記実施形態では、スキル一覧処理のステップＳ２０２や、スキル紹介処理のステップＳ３０２において、物品取得部１３２がスキル提供情報に含まれる対応物品に対する物品情報を取得し、コンテンツ送信部１３４は、これらの対応物品の物品情報を含むスキル一覧コンテンツ６２０やスキル紹介コンテンツ６３０をユーザ端末２０に送信した。
これに対して、スキル一覧コンテンツ６２０やスキル紹介コンテンツ６３０に、対応物品が含まれていなくてもよく、作業時必要品や正規必要品のみをスキル一覧コンテンツ６２０やスキル紹介コンテンツ６３０に表示させてもよい。
【００８８】
その他、本発明の実施の際の具体的な構造及び手順は、本発明の目的を達成できる範囲で他の構造などに適宜変更できる。
【符号の説明】
【００８９】
１,１Ａ…商取引システム、１０…サーバ装置、１１…通信部、１２…記憶部、１２Ａ…物品ＤＢ（物品記憶部）、１２Ｂ…スキルＤＢ（スキル提供記憶部）、１２Ｃ…提供者ＤＢ、１２Ｄ…ユーザＤＢ、１２Ｅ…購入ＤＢ、１３…制御部、２０…ユーザ端末、３０…提供者端末、４０…販売者端末、１３１…登録部、１３２…物品取得部、１３３…スキル取得部、１３４…コンテンツ送信部、１３５…購入要求取得部、１３６…決済処理部、６２０…スキル一覧コンテンツ、６２１…スキル一覧表示部、６３０…スキル紹介コンテンツ、６３１…スキル紹介表示部、６３２…対応物品表示部、６３２Ａ…物品選択部、６３３…作業時必要品表示部、６３３Ａ…作業時必要品選択部、６３４…購入選択部、６３５…決済選択部。
【図１】
2020091685.tif 000003
【図２】
2020091685.tif 000004
【図３】
2020091685.tif 000005
【図４】
2020091685.tif 000006
【図５】
2020091685.tif 000007
【図６】
2020091685.tif 000008
【図７】
2020091685.tif 000009
【図８】
2020091685.tif 000010
【図９】
2020091685.tif 000011
【図１０】
2020091685.tif 000012
【図１１】
2020091685.tif 000013
【図１２】
2020091685.tif 000014
【図１３】
2020091685.tif 000015